(57)【要約】【課題】送付、または、店頭で手渡される機器，情報記録媒体にラベルを有する印刷物を同梱し、ラベルに印字された機器，情報記録媒体の管理コード等を提出書類に貼付させることによって、正しい機器，情報記録媒体管理コード等を登録させるラベルを有する印刷物を提供する。【解決手段】機器，情報記録媒体に同梱されたラベルを有する印刷物であって、前記ラベルを有する印刷物には一又は複数のラベルが切り離し可能に形成され、前記ラベルには前記機器，情報記録媒体の管理コード、または、前記機器，情報記録媒体の使用者を特定するコードが印字されたラベルを有する印刷物を提供する。【選択図】  図１
2009184170.tif 000002
【特許請求の範囲】
【請求項１】
機器，情報記録媒体に同梱されたラベルを有する印刷物であって、
前記ラベルを有する印刷物には一又は複数のラベルが切り離し可能に形成され、前記ラベルには前記機器，情報記録媒体の管理コード、または、前記機器，情報記録媒体の使用者を特定するコードが印字されたことを特徴とするラベルを有する印刷物。
【請求項２】
請求項１に記載のラベルを有する印刷物において、
ラベルを有する印刷物には管理コード、または、使用者を特定するコードの他に、機器，情報記録媒体を使用する使用者関連情報が管理コード、または、使用者を特定するコードと同一面に印字されたことを特徴とするラベルを有する印刷物。
【発明の詳細な説明】
【技術分野】
【０００１】
本発明は、通信販売やネット販売、または、店頭販売の機器，情報記録媒体に同梱されたラベルを有する印刷物に関する。
【背景技術】
【０００２】
通信販売やネット販売、または、店頭で販売される機器や情報記録媒体のパッケージの中には、機器や情報記録媒体に関連する各種印刷物が同梱されている。
購入者の多くは、購入した機器や情報記録媒体に関する新しい情報を入手するために、また、購入した機器や情報記録媒体に問題が発生したときに相談にのってもらうために同梱された書類の一つに、所定の事項を記載して送付する。
前記書類は、はがき等の申込書や購入者登録証で、送付の際に機器や情報記録媒体の管理コードを前記申込書等の所定欄に記載し、その他電話番号や住所，氏名，年齢等の個人情報を記載して印刷された宛先に送付する。
管理コードは、数字や記号で構成される文字列や、前記文字列を機械で読み取れるようにしたバーコードなどで構成され、プリントされている。
【０００３】
前記申込書や購入者登録証に購入した機器や情報記録媒体の管理コードを転記する際に、管理コードの桁数が多いために、稀に転記ミスが発生する。
送付された書類の管理コードに誤りがあっても、受理された書類に記載された情報はそのまま登録されてしまうために、機器や情報記録媒体にトラブルなどが発生したときに即座に対応してもらえない場合が発生する。
一方、同梱された書類が全ての購入者に利用されるとは限らない。また、同梱された複数の書類全てに管理コードをプリントした場合、機器や情報記録媒体の管理コードとの照合作業に多大な時間と手間が掛かる。
そのために、同梱された全ての書類に機器や情報記録媒体の管理コードをプリントすることは通常しない。
【０００４】
近年、テレビ、ステレオ等に代表されるような家庭用電化製品には、その後に製品管理や保証・メンテナンスも考え、製品の一部、例えば裏側にシリアルナンバー等を印刷したシールが貼ってある。しかしながら、この表記形態は、その読みだし確認を人間の目に頼るものであり、シール自体の汚れ度合によっては読み取りミスや読み取り不可能な場合もある。これに対し、ビデオゲーム機やパーソナルコンピュータ等の電子機器では、その製品固有のシリアルナンバーやＩＤナンバー等の情報を、電子機器内のＥＥＰ−ＲＯＭ等のメモリに電気的に記録しておき、必要な時に電気的に読み出すものが多くなっている。
しかしながら、このように機器内のメモリ等のデバイスに製品情報を記録することは、多くの手間とコストを要し、廉価な量産品への適用は不向きと言わざるを得ない。また、仮にこの方法で製品情報を記憶しても、通常、ＥＥＰ−ＲＯＭ等のメモリに記録された情報は、その電子機器を動作状態にして読み出すしかなく、電子機器自体が故障すると情報を読み出すことも不可能となる。このため、情報読み取りに手間取り、故障等の際には原因究明や対応が遅れるなどの問題点がある。
【０００５】
そこで、シートの一面側から視認可能に情報が記録され、前記シートの他面側に前記情報に対応した導通パターンが形成されている情報シールが提供されている（例えば、特許文献１参照）。これにより、一面側に明示された可視情報によって、作業者は目視で情報を確認することができ、他面側に形成された導通パターンにより情報を電気的に読み取ることができるとしている。
【０００６】
【特許文献１】特開２０００−４８１４５号公報
【発明の開示】
【発明が解決しようとする課題】
【０００７】
特許文献１に記載されている情報シールは、機器，情報記録媒体に貼付されている情報を読み取る際に、目視だけでは誤読される可能性があるために、電気的に読み取る情報を目視情報の裏側に形成するというものである。この情報シールは、情報シールに表示された情報を読み取るために読取装置が必要であるばかりでなく、情報シールの作成に多大な費用が発生するという課題がある。
そこで本発明は、送付、または、店頭で手渡される機器，情報記録媒体にラベルを有する印刷物を同梱し、ラベルに印字された機器，情報記録媒体の管理コード等を提出書類に貼付させることによって、正しい機器，情報記録媒体管理コード等を登録させることを目的とするものである。
【課題を解決するための手段】
【０００８】
前記課題の目的を達成するために、本発明のラベルを有する印刷物の第一の態様は、機器，情報記録媒体に同梱されたラベルを有する印刷物であって、前記ラベルを有する印刷物には一又は複数のラベルが切り離し可能に形成され、前記ラベルには前記機器，情報記録媒体の管理コード、または、前記機器，情報記録媒体の使用者を特定するコードが印字されたことを特徴とするものである。
【０００９】
また、第二の態様は、第一の態様において、ラベルを有する印刷物には管理コード、または、使用者を特定するコードの他に、機器，情報記録媒体を使用する使用者関連情報が管理コード、または、使用者を特定するコードと同一面に印字されたことを特徴とするものである。
【発明の効果】
【００１０】
本発明のラベルを有する印刷物によって下記の効果が期待できる。
１）本発明の第一の態様のように、機器，情報記録媒体に同梱されたラベルを有する印刷物であって、前記ラベルを有する印刷物には一又は複数のラベルが切り離し可能に形成され、前記ラベルには前記機器，情報記録媒体の管理コード、または、前記機器，情報記録媒体の使用者を特定するコードが印字されたことによって、購入者を特定することができない店頭販売等の機器，情報記録媒体の管理に適用することができる。
即ち、購入者は、機器や情報記録媒体を購入した後、指示された内容に従い、まず、機器や情報記録媒体に同梱された「ラベルを有する印刷物」からラベルを切り離して機器や情報記録媒体にラベルを貼付し、さらに、書類を送付する必要が発生した場合に、送付する書類に同一の管理コードがプリントされたラベルを「ラベルを有する印刷物」から切り離して貼付することによって、管理コードを書類へ転記することが無くなり、その結果転記ミスによるトラブルを無くすることができる。
２）また、第二の態様のように、第一の態様において、ラベルを有する印刷物には管理コード、または、使用者を特定するコードの他に、機器，情報記録媒体を使用する使用者関連情報が管理コード、または、使用者を特定するコードと同一面に印字されたことによって、印字のためのコストを安く押さえることができる。
また、本発明のラベルを有する印刷物は、購入者が予め特定された通信販売やネット販売等の機器，情報記録媒体の管理に適用することができる。
即ち、購入者は、機器や情報記録媒体を購入した後、指示された内容に従い、まず、機器や情報記録媒体に同梱された「ラベルを有する印刷物」からラベルを切り離して機器や情報記録媒体にラベルを貼付し、さらに、書類を送付する必要が発生した場合に、送付する書類に同一の管理コードがプリントされたラベルを「ラベルを有する印刷物」から切り離して貼付することによって、管理コードを書類へ転記することが無くなり、その結果転記ミスによるトラブルを無くすることができる。
３）前記１），２）によって、安価に作製された「ラベルを有する印刷物」に印字された管理コードを重複しないように管理さえすれば、機器や情報記録媒体の提供者は機器や情報記録媒体の管理コードを自ら貼付する手間が省け、さらに、購入者または使用者に対しては、送付書類への管理コードの転記ミスをなくすることができる。
【発明を実施するための最良の形態】
【００１１】
以下、図面を参照して、本発明のラベルを有する印刷物について説明する。
図１は、本発明のラベルを有する印刷物の一例について説明するための図，図２は、本発明のラベルを有する印刷物の他の一例について説明するための図，図３は、図２のＡ−Ａ線断面について説明するための図，である。
【００１２】
図１を参照して、本発明のラベルを有する印刷物の一例について説明する。
図に示すラベルを有する印刷物１は、機器，情報記録媒体に同梱されている。
「機器，情報記録媒体」は、「機器又は情報記録媒体」の場合や、「機器及び情報記録媒体」の場合が有り、管理コードを機器にのみ、または、情報記録媒体にのみ貼付すれば良い場合があるが、以下の説明では「機器，情報記録媒体」と記載する。
パッケージの中には、機器，情報記録媒体，前述のラベルを有する印刷物，機器の簡単な操作方法を記載した印刷物，使用方法を詳しく記載した印刷物，保証書，返信用はがき，機器を駆動するためのプログラムを記録したＣＤＲＯＭなどが同梱されている。
【００１３】
ラベルを有する印刷物１には、図に示すように、ラベルａ１１，ラベルｂ１２，ラベルｃ１３が形成されている。
図示しないが、それぞれのラベルは、ラベルの裏側に粘着剤を形成し、粘着剤を剥離紙によって被覆する構造とすることもでき、単に切り込みを形成してラベルを切取りやすくした状態とすることもできるが、以下の説明では、ラベルの裏側に粘着剤を形成した例で説明する。
前記ラベルは、剥離紙から容易に剥ぎ取って対象物に貼付できるように切込み（図示せず）によって分断されている。また、前記ラベルには「１２３４５６７８９」の如く、機器，情報記録媒体の管理コード、または、前記機器，情報記録媒体の購入者又は使用者（以下、使用者という。）を特定するコードが印字されている。
管理コードの一部は、ラベルｃ１３に示すように光学読取り機器対応のバーコードでプリントされている。
【００１４】
機器，情報記録媒体の使用者は、ラベルを有する印刷物１から、例えば、ラベルａ１１を剥がして、同梱されていた機器，情報記録媒体に貼付する。機器，情報記録媒体には既に供給者側でラベルを貼付してくる場合もある。
機器，情報記録媒体に貼付された管理コードは、アフターサービスを受ける場合に必要になってくる。
使用を開始した後でアフターサービスを必要とする使用者は、同梱されている書類の購入者登録用紙にラベルｃ１３を貼付して機器，情報記録媒体供給者に送付する。機器，情報記録媒体供給者に送付するラベルは、受け取った側で光学機器などで読み取ることができるようにバーコードで印字される。
【００１５】
図２を参照して、本発明のラベルを有する印刷物の他の一例について説明する。
図に示す、ラベルを有する印刷物１００は、機器，情報記録媒体に同梱されている。
パッケージの中には、機器，情報記録媒体，前述のラベルを有する印刷物，機器の簡単な操作方法を記載した印刷物，使用方法を詳しく記載した印刷物，保証書，返信用はがき，機器を駆動するためのプログラムを記録したＣＤＲＯＭなどが同梱されている。
ラベルを有する印刷物１００には機器，情報記録媒体の管理コード、または、使用者を特定するコード（以下、図２の説明では使用者コードという。）１０２０がプリントされたラベル１０２の他に、機器，情報記録媒体を使用する使用者関連情報１０００が使用者を特定するコード１０２０と同一面に印字されている。
【００１６】
図示しないが、ラベルを有する印刷物１００にはラベル１０２の形状に切込みが形成され、前記ラベル形成部の裏面には粘着剤が形成されている。ラベル形成部の裏側には、部分的に剥離紙が形成され、粘着剤を被覆している。
前記ラベル１０２には「１２３４５６７８９」の如く、使用者コードがバーコードで印字されている。
ラベルを有する印刷物１００には、使用者コードが印字されたラベル１０２のほかに図１で説明した機器，情報記録媒体に貼付するための管理コードが印字されたラベルも一緒に形成される場合もある。
図２に示すラベルを有する印刷物１００の例は、購入者が予め特定された通信販売やネット販売等の機器，情報記録媒体に適用される。
【００１７】
ラベル１０２は、使用者がアフターサービスを受ける場合に必要になってくる。
使用を開始した後でアフターサービスを必要とする使用者は、図２の書類（はがき）１０１の裏面１０１１、お客様番号貼付欄１０１１２にラベル１０２を貼付して機器，情報記録媒体供給者に送付する。
はがき１０１の裏面１０１１にはお客様通信欄１０１１１が設けられ、通信情報を記載するようになっている。なお、はがき１０１の表面には、送付左記の宛先情報が事前に印刷されている。
複数のラベルが形成される場合は、使用者は、ラベルを有する印刷物１００から、機器，情報記録媒体の管理コードは印字されたラベルを剥がして、同梱されていた機器，情報記録媒体に貼付する。機器，情報記録媒体には既にラベルが貼付されている場合もある。
【００１８】
図３を参照して、図２のＡ−Ａ線断面について説明する。
図３に示すラベルを有する印刷物の例は、ラベルの裏面に粘着剤が形成されたラベルを有する印刷物の例である。
ラベルを有する印刷物１００には、ラベル形成部の裏面に粘着剤３が形成され、粘着部分は剥離紙４で被覆され、切込み２が形成されている。
ラベル１０２の印字面には、機器，情報記録媒体の管理コードまたは、機器，情報記録媒体の使用者コード１０２０が印字されている。管理コード、または、機器，情報記録媒体の使用者コード１０２０は、バーコードや、文字列で印字されている。
これら管理コード、または、機器，情報記録媒体の使用者コード１０２０は、プリンタによって印字される。
ラベル１０２は、剥離紙から剥がされ、機器，情報記録媒体やはがき等に貼付される。
【００１９】
上述のように、使用者は機器や情報記録媒体を購入した後、指示された内容に従い、まず、機器や情報記録媒体に同梱された「ラベルを有する印刷物」からラベルを剥がして機器や情報記録媒体にラベルを貼付し、さらに、送付する書類に同一の管理コード、または、使用者コードがプリントされたラベルを「ラベルを有する印刷物」から剥がして貼付することによって、管理コード（または使用者コード）を書類へ転記することが無くなり、その結果転記ミスによるトラブルを無くすることができる。
【００２０】
（材料）
図３を参照して、本発明のラベルを有する印刷物に使用される材料の一例について説明する。
ラベル１０２の基紙（印刷物の基紙と同じ）として、６４〜８２ｇ／ｍ2の上質紙，コート紙，クラフト紙などから選択して使用する。
粘着剤３として、市販の粘着剤を使用する。
剥離紙４して、４７〜６４ｇ／ｍ2の上質紙，コート紙，クラフト紙などに、ＵＶインキにシリコーンオイルを添加したものや、シリコーンアクリレートを添加したもの、または、市販の剥離紙を使用する。
【産業上の利用可能性】
【００２１】
本発明のラベルを有する印刷物は機器や情報記録媒体に同梱される印刷物に利用できる。
【図面の簡単な説明】
【００２２】
【図１】本発明のラベルを有する印刷物の一例について説明するための図である。
【図２】本発明のラベルを有する印刷物の他の一例について説明するための図である。
【図３】図２のＡ−Ａ線断面について説明するための図である。
【符号の説明】
【００２３】
１，１００  ラベルを有する印刷物
２      切込み
３      粘着剤
４      剥離紙
１１，１２，１３，１０２  ラベル
１０１  はがき，書類
１０００  使用者関連情報
１０１１  はがきの裏面
１０２０  機器，情報記録媒体の管理コード，使用者を特定するコード，使用者コード
１０１１１  お客様通信欄
１０１１２  お客様番号貼付欄
【図１】
2009184170.tif 000003
【図２】
2009184170.tif 000004
【図３】
2009184170.tif 000005